(57)【要約】      （修正有）【課題】全ての弦について調弦状況を一目瞭然にし、しかも音感が十分でない初心者ユーザであっても、弦の破断を引き起こすことなく簡単に調弦できるチューニング装置を実現する。【解決手段】センサプローブＳＰが各弦を所定ストロークＳ分押下すると、ＣＰＵは、センサ部２０の出力に基づき各弦の検出反発力を表す測定データを発生し、それらと各弦の基準反発力を表す基準データとの差分を各弦毎に算出する。差分が許容範囲データで表される許容範囲内ならば適正に調弦されていると判別し、許容範囲の上限を超えていれば弦の張力が高過ぎる状態と判別し、許容範囲の下限を超えていれば弦の張力が低過ぎる状態であると判別する。各弦の判別結果を表示部のアジャストＬＥＤ表示器で可視表示する。【選択図】図１
2012159648.tif 000002
【特許請求の範囲】
【請求項１】
張設された複数の弦を押下した時に生じる各弦の反発力を検出反発力として取得する反発力取得手段と、
適正に調弦された状態で取得された各弦の基準反発力を予め記憶しておき、これら各弦の基準反発力と前記反発力取得手段により取得された各弦の検出反発力との差分を各弦毎に算出する差分算出手段と、
前記差分算出手段により算出される各弦毎の差分が予め定められた許容範囲に収まっているか否かを判別する判別手段と、
前記判別手段の判別結果に基づき各弦の状態を表示する状態表示手段と
を具備することを特徴とするチューニング装置。
【請求項２】
前記反発力取得手段は、各弦の所定位置を一定長分押下した時の圧力を検出反発力として各弦毎に検出する圧力検出手段を備えることを特徴とする請求項１記載のチューニング装置。
【請求項３】
前記状態表示手段は、前記判別手段により検出反発力と基準反発力との差分が許容範囲に収まっていると判別された場合に、弦が適正に調弦された状態である旨を表示することを特徴とする請求項１記載のチューニング装置。
【請求項４】
前記判別手段は、検出反発力と基準反発力との差分が許容範囲の上限を超えている否かを判別する上限超過判別手段と、検出反発力と基準反発力との差分が許容範囲の下限を超えている否かを判別する下限超過判別手段とを備えることを特徴とする請求項１記載のチューニング装置。
【請求項５】
前記状態表示手段は、前記上限超過判別手段により検出反発力と基準反発力との差分が許容範囲の上限を超えたと判別された場合に、弦の張力が高過ぎる状態である旨を表示することを特徴とする請求項１記載のチューニング装置。
【請求項６】
前記状態表示手段は、前記下限超過判別手段により検出反発力と基準反発力との差分が許容範囲の下限を超えたと判別された場合に、弦の張力が低過ぎる状態である旨を表示することを特徴とする請求項１記載のチューニング装置。
【請求項７】
コンピュータに、
張設された複数の弦を押下した時に生じる各弦の反発力を検出反発力として取得する反発力取得ステップと、
適正に調弦された状態で取得された各弦の基準反発力を予め記憶しておき、これら各弦の基準反発力と前記反発力取得ステップにて取得された各弦の検出反発力との差分を各弦毎に算出する差分算出ステップと、
前記差分算出ステップにより算出される各弦毎の差分が予め定められた許容範囲に収まっているか否かを判別する判別ステップと、
前記判別ステップの判別結果に基づき各弦の状態を表示する状態表示ステップと
を実行させることを特徴とするプログラム。
【発明の詳細な説明】
【技術分野】
【０００１】
本発明は、例えばギターなどの弦楽器の調弦に用いて好適なチューニング装置およびプログラムに関する。
【背景技術】
【０００２】
ギターなどの弦楽器の調弦に用いるチューニング装置が知られている。例えば特許文献１には、弾弦で生じる弦振動から検出した検出音高が何れの音名に対応するかを表示すると共に、その音名の基準音高と検出音高とのズレ量を表示し、さらに検出音高に対応する弦番号も表示するようにしたチューニング装置が開示されている。
【先行技術文献】
【特許文献】
【０００３】
【特許文献１】特開平０５−０６６７６５号公報
【発明の概要】
【発明が解決しようとする課題】
【０００４】
ところで、上記特許文献１に開示の技術のように、弾弦で生じる弦振動から検出した検出音高の音名で調弦する場合、音感が十分でない初心者ユーザであると、基準音高と同じ音名にしようとして、誤って基準音高より１オクターブ上や１オクターブ下の検出音高にチューニングしてしまう問題が生じ、とりわけ１オクターブ上の検出音高にチューニングしようとして弦を巻き過ぎ、これにより弦を破断させてしまう事もしばしば起こる。
【０００５】
また、上記特許文献１に開示の装置では、一弦ずつ調弦する為に、全ての弦について調弦状況を一目瞭然にすることも叶わないという問題もある。以上を換言すれば、全ての弦について調弦状況を一目瞭然にし、しかも音感が十分でない初心者ユーザであっても、弦の破断を引き起こすことなく簡単に調弦することが出来ない、という問題を有する。
【０００６】
本発明は、このような事情に鑑みてなされたもので、全ての弦について調弦状況を一目瞭然にし、しかも音感が十分でない初心者ユーザであっても、弦の破断を引き起こすことなく簡単に調弦することができるチューニング装置およびプログラムを提供することを目的としている。
【課題を解決するための手段】
【０００７】
上記目的を達成するため、請求項１に記載の発明では、張設された複数の弦を押下した時に生じる各弦の反発力を検出反発力として取得する反発力取得手段と、適正に調弦された状態で取得された各弦の基準反発力を予め記憶しておき、これら各弦の基準反発力と前記反発力取得手段により取得された各弦の検出反発力との差分を各弦毎に算出する差分算出手段と、前記差分算出手段により算出される各弦毎の差分が予め定められた許容範囲に収まっているか否かを判別する判別手段と、前記判別手段の判別結果に基づき各弦の状態を表示する状態表示手段とを具備することを特徴とする。
【発明の効果】
【０００８】
本発明では、全ての弦について調弦状況を一目瞭然にし、しかも音感が十分でない初心者ユーザであっても、弦の破断を引き起こすことなく簡単に調弦することができる。
【図面の簡単な説明】
【０００９】
【図１】実施の一形態によるチューニング装置１００の概要を説明するための外観図である。
【図２】チューニング装置１００の構成を示すブロック図である。
【図３】ＲＯＭ１１のデータ構成を示すメモリマップである。
【図４】ＲＡＭ１２のデータ構成を示すメモリマップである。
【図５】表示部１４のアジャスト表示器を説明するための図である。
【図６】メインルーチンの動作を示すフローチャートである。
【図７】判別処理の動作を示すフローチャートである。
【発明を実施するための形態】
【００１０】
以下、図面を参照して本発明の実施形態について説明する。
Ａ．発明の概要
図１は、実施の一形態によるチューニング装置１００の概要を示す外観図である。この図に示すチューニング装置１００は、センサ部２０および本体部３０に大別される。センサ部２０は、図示されていない検査治具によってギターのフレット（棹）に対向する所定位置に配置され、ブリッジ／ナット間の弦をセンサプローブＳＰで押下するようになっている。
【００１１】
具体的には、ブリッジ端を基準にして離間距離Ｌを隔てた位置において、センサ部２０のセンサプローブＳＰを弦ＳＴに当接してから所定ストロークＳ分押下する。センサ部２０のセンサプローブＳＰの基端には、圧力センサ（後述する圧力センサ２０−１〜２０−６）が設けられており、センサプローブＳＰが弦ＳＴを所定ストロークＳ分押下した時の圧力、すなわち弦ＳＴの反発力（以下、検出反発力と称す）を検出して本体部３０に出力する。センサ部２０は、全ての弦に対向配置されるセンサプローブＳＰおよび圧力センサを備えるので、各弦の検出反発力を一度に取得し得る。
【００１２】
本体部３０では、適正にチューニングされた状態で取得された各弦の基準反発力を予め記憶しておき、この基準反発力とセンサ部２０により取得された検出反発力とを各弦毎に比較し、検出反発力と基準反発力との差分が許容範囲に収まっていれば弦が適正に調弦されていると判別する。また、検出反発力と基準反発力との差分が許容範囲の上限を超えていれば、弦の張力が高過ぎる状態と判別する。さらに、検出反発力と基準反発力との差分が許容範囲の下限を超えていれば、弦の張力が低過ぎる状態と判別する。本体部３０では、こうした判別結果に基づき各弦の状態を表示する。
【００１３】
Ｂ．チューニング装置１００の構成
図２は、センサ部２０および本体部３０を含むチューニング装置１００の構成を示すブロック図である。この図において、ＣＰＵ１０は、後述するメインルーチン（図６参照）を実行することによって、予め記憶された各弦の基準反発力と、センサ部２０により取得された各弦の検出反発力との比較に基づき各弦の張力の状態を判別し、判別した各弦の状態を表示部１４に表示させる。
【００１４】
ＲＯＭ１１は、図３に示すように、プログラムエリアＰＥ、基準データエリアＲＥおよび許容範囲データエリアＫＥを備える。プログラムエリアＰＥには、ＣＰＵ１０にロードされる各種プログラムが記憶される。各種プログラムとは、後述する本体処理（図６参照）および判別処理（図７参照）を含む。基準データエリアＲＥには、適正にチューニングされた状態で取得された各弦（第１弦〜第６弦）の基準反発力を表す基準データＲＤ（１）〜ＲＤ（６）が記憶される。許容範囲データエリアＫＥには、検出反発力と基準反発力との差分が適正であるか否かを判断するための許容範囲を表す許容範囲データＰＤ（１）〜ＰＤ（６）が各弦別に記憶される。
【００１５】
ＲＡＭ１２は、図４に示すように、ワークエリアＷＥ、サンプリングエリアＳＥおよび測定データエリアＭＥを備える。ワークエリアＷＥには、ＣＰＵ１０の処理に用いられる各種レジスタ・フラグデータが一時記憶される。サンプリングエリアＳＥには、センサ部２０を構成する圧力センサ２０−１〜２０−６の各出力を一定時間サンプリングして取得した検出データ群が一時記憶される。測定データエリアＭＥには、上記サンプリングエリアＳＥに一時記憶された検出データ群に平均化処理を施して得られる測定データＭＤ（１）〜ＭＤ（６）が格納される。測定データＭＤ（１）〜ＭＤ（６）は、それぞれ第１弦〜第６弦の検出反発力を表す。
【００１６】
操作部１３は、本体部３０をパワーオン／パワーオフする電源スイッチや、測定の開始／終了を指示する測定スイッチなどを備え、スイッチ操作に応じたイベントを発生する。操作部１３が発生するイベントはＣＰＵ１０により取り込まれる。表示部１４は、ＬＣＤパネルおよびアジャストＬＥＤ表示器を備える。表示部１４のＬＣＤパネルには、ＣＰＵ１０から供給される表示制御信号に応じて、装置の動作状態や設定状態が画面表示される。
【００１７】
表示部１４のアジャストＬＥＤ表示器は、図５に図示する一例のように、各弦に対応して配列されるＵＰ  ＬＥＤ、ＯＫ  ＬＥＤおよびＤＯＷＮ  ＬＥＤを備える。これらＬＥＤ（発光素子）は、上述した判別結果に基づき点灯制御される。すなわち、検出反発力と基準反発力との差分が許容範囲に収まり、弦が適正に調弦されていると判別された場合には、ＯＫ  ＬＥＤが点灯される。また、検出反発力と基準反発力との差分が許容範囲の上限を超え、弦の張力が高過ぎる状態と判別された場合には、ＵＰ  ＬＥＤが点灯される。さらに、検出反発力と基準反発力との差分が許容範囲の下限を超え、弦の張力が低過ぎる状態と判別された場合には、ＤＯＷＮ  ＬＥＤが点灯される。こうした表示形態により全ての弦について調弦状況が一目瞭然になる。
【００１８】
センサ部２０は、前述したように、検査治具（不図示）を用いて弦に当接してから所定ストロークＳ分押下されるセンサプローブＳＰと、センサプローブＳＰの基端に設けられ、検出反発力（弦の反発力）を検出する圧力センサ２０−１〜２０−６とから構成される。圧力センサ２０−１〜２０−６には、例えば公知のピエゾ抵抗型半導体圧力センサが用いられる。Ａ／Ｄ変換部２１は、センサ部２０から出力される圧力センサ２０−１〜２０−６の各出力をレベル増幅した後にＡ／Ｄ変換して検出データを発生する。Ａ／Ｄ変換部２１が発生する検出データは、ＣＰＵ１０の制御の下に、ＲＡＭ１２のサンプリングエリアＳＥ（図４参照）に一時記憶される。
【００１９】
Ｃ．動作
次に、図６〜図７を参照して上記構成によるチューニング装置１００の動作を説明する。以下では、チューニング装置１００の動作として、ＣＰＵ１０が実行するメインルーチンの動作およびメインルーチンからコールされる判別処理の動作について述べる。
【００２０】
（１）メインルーチンの動作
電源スイッチ操作によりチューニング装置１００（本体部３０）がパワーオンされると、ＣＰＵ１０は図６に図示するメインルーチンを実行してステップＳＡ１に進み、装置各部を初期化するイニシャライズを行う。イニシャライズが完了すると、次のステップＳＡ２に進み、測定スイッチがオン操作されたか否かを判断する。測定スイッチがオン操作されなければ、判断結果は「ＮＯ」になり、ステップＳＡ６に進み、例えば圧力センサ２０−１〜２０−６の各出力を較正（オフセット調整）する等の、その他の処理を実行した後、上記ステップＳＡ２に処理を戻す。
【００２１】
一方、図１に図示したように、検査治具を用い、センサ部２０のセンサプローブＳＰがブリッジ端を基準にして離間距離Ｌを隔てた位置の各弦を所定ストロークＳ分押下するようセットされた状態で測定スイッチがオン操作されたとする。そうすると、上記ステップＳＡ２の判断結果が「ＹＥＳ」になり、ステップＳＡ３に進む。ステップＳＡ３では、圧力センサ２０−１〜２０−６の各出力をＡ／Ｄ変換部２１がレベル増幅した後にＡ／Ｄ変換した所定サンプル数分の検出データを、ＲＡＭ１２のサンプリングエリアＳＥ（図４参照）に格納する。
【００２２】
続いて、ステップＳＡ４では、ＲＡＭ１２のサンプリングエリアＳＥに一時記憶され、各弦あたり所定サンプル数分の検出データについて平均化処理を施し、これにより第１弦〜第６弦の検出反発力をそれぞれ表す測定データＭＤ（１）〜ＭＤ（６）を生成してＲＡＭ１２の測定データエリアＭＥ（図４参照）に格納する。そして、ステップＳＡ５に進み、判別処理を実行する。
【００２３】
判別処理では、後述するように、ポインタｎで指定される第ｎ弦の測定データＭＤ（ｎ）と基準データＲＤ（ｎ）との差分ＲＥＳが、許容範囲データＰＤ（ｎ）で表される許容範囲内ならば、第ｎ弦が適正に調弦されていると判別し、差分ＲＥＳが許容範囲内の上限を超えると、第ｎ弦の張力が高過ぎる状態であると判別し、差分ＲＥＳが許容範囲内の下限を超えていれば、第ｎ弦の張力が低過ぎる状態であると判別する。こうした判別をポインタｎの歩進に応じて第１弦〜第６弦の全てについて行い、これにより得られた各弦の判別結果に基づきアジャストＬＥＤ表示器に各弦の状態を可視表示する。
【００２４】
（２）判別処理の動作
次に、図７を参照して判別処理の動作を説明する。上述したメインルーチンのステップＳＡ５を介して本処理が実行されると、ＣＰＵ１０は図７に図示するステップＳＢ１に進み、弦の番号を指定するポインタｎに初期値「１」をセットする。続いて、ステップＳＢ２では、ポインタｎが「７」より小さいか否か、つまり全ての弦について判別し終えたかどうかを判断する。ポインタｎが「７」を超えた場合、すなわち全ての弦について判別し終えたならば、ここでの判断結果は「ＮＯ」となり、本処理を終えるが、全ての弦について判別し終えておらず、ポインタｎが「７」より小さければ、判断結果は「ＹＥＳ」となり、次のステップＳＢ３に進む。
【００２５】
ステップＳＢ３では、ポインタｎで指定される第ｎ弦の測定データＭＤ（ｎ）をＲＡＭ１２の測定データエリアＭＥから読み出すと共に、ポインタｎで指定される第ｎ弦の基準データＲＤ（ｎ）をＲＯＭ１１の基準データエリアＲＥから読み出し、読み出した測定データＭＤ（ｎ）と基準データＲＤ（ｎ）との差分値をレジスタＲＥＳにストアする。レジスタＲＥＳにストアされた差分値は、検出反発力と基準反発力との差分を表す。以後、レジスタＲＥＳの内容を差分ＲＥＳと称す。
【００２６】
次いで、ステップＳＢ４では、ポインタｎに応じてＲＯＭ１１の許容範囲データエリアＫＥから読み出される第ｎ弦の許容範囲データＰＤ（ｎ）で表される許容範囲内に差分ＲＥＳが収まるか否か、つまりポインタｎで指定される第ｎ弦が適正に調弦されているかどうかを判別する。差分ＲＥＳが許容範囲データＰＤ（ｎ）で表される許容範囲内に収まっていれば、判断結果は「ＹＥＳ」になり、ステップＳＢ５に進み、表示部１４のアジャストＬＥＤ表示器において、ポインタｎで指定される第ｎ弦に対応付けられたＯＫ（ｎ）  ＬＥＤの点灯を指示して適正に調弦されていることをユーザに報知する。この後、ステップＳＢ６に進み、ポインタｎをインクリメントして歩進させて上述のステップＳＢ２に処理を戻す。
【００２７】
以後、歩進されたポインタｎが「７」を超え、全ての弦について判別し終えるまでの間、上述したステップＳＢ３以降を繰り返す。その過程で差分ＲＥＳが許容範囲データＰＤ（ｎ）で表される許容範囲を超えた場合には、上述したステップＳＢ４の判断結果が「ＮＯ」になり、ステップＳＢ７に進む。ステップＳＢ７では、差分ＲＥＳが許容範囲データＰＤ（ｎ）で表される許容範囲の上限を超えているか否かを判断する。
【００２８】
許容範囲の上限を超えていると、上記ステップＳＢ７の判断結果が「ＹＥＳ」になり、ステップＳＢ８に進み、表示部１４のアジャストＬＥＤ表示器において、ポインタｎで指定される第ｎ弦に対応付けられたＵＰ（ｎ）  ＬＥＤの点灯を指示して弦の張力が高過ぎる状態であることをユーザに報知する。これに対し、許容範囲の下限を超えていれば、上記ステップＳＢ７の判断結果が「ＮＯ」になり、ステップＳＢ９に進み、表示部１４のアジャストＬＥＤ表示器において、ポインタｎで指定される第ｎ弦に対応付けられたＤＯＷＮ（ｎ）  ＬＥＤの点灯を指示して弦の張力が低過ぎる状態であることをユーザに報知する。
【００２９】
このように、判別処理では、ポインタｎで指定される第ｎ弦の測定データＭＤ（ｎ）と基準データＲＤ（ｎ）との差分ＲＥＳを算出し、算出した差分ＲＥＳがポインタｎで指定される第ｎ弦の許容範囲データＰＤ（ｎ）で表される許容範囲に収まっていれば、ポインタｎで指定される第ｎ弦が適正に調弦されていると判別し、差分ＲＥＳが許容範囲データＰＤ（ｎ）で表される許容範囲の上限を超えていれば、弦の張力が高過ぎる状態であると判別し、差分ＲＥＳが許容範囲データＰＤ（ｎ）で表される許容範囲の下限を超えていれば、弦の張力が低過ぎる状態であると判別する。そして、こうした判別をポインタｎの歩進に応じて第１弦〜第６弦の全てについて行い、各弦について行われた判別結果をアジャストＬＥＤ表示器で可視表示する。
【００３０】
以上のように、本実施形態では、センサ部２０のセンサプローブＳＰがブリッジ端を基準にして離間距離Ｌを隔てた位置の各弦を所定ストロークＳ分押下するようセットされた状態で測定を開始すると、圧力センサ２０−１〜２０−６の各出力をＡ／Ｄ変換した所定サンプル数分の検出データを平均化して第１弦〜第６弦の検出反発力をそれぞれ表す測定データＭＤ（１）〜ＭＤ（６）を生成し、ＲＯＭ１１に記憶され、適正にチューニングされた状態で取得された各弦の基準反発力を表す基準データＲＤ（１）〜ＲＤ（６）との差分ＲＥＳを各弦毎に算出する。検出反発力と基準反発力との差分ＲＥＳが許容範囲データＰＤ（ｎ）で表される許容範囲内ならば、適正に調弦されていると判別する。一方、許容範囲の上限を超えていれば弦の張力が高過ぎる状態と判別し、許容範囲の下限を超えていれば弦の張力が低過ぎる状態であると判別し、各弦の判別結果をアジャストＬＥＤ表示器に表示するので、全ての弦について調弦状況を一目瞭然にし、しかも音感が十分でない初心者ユーザであっても、弦の破断を引き起こすことなく簡単に調弦することが出来る。
【００３１】
なお、上述した実施形態では、説明の簡略化を図る為、温度補償については言及していないが、調弦する環境の室温を計測し、計測した室温に応じた所定係数を基準反発力を表す基準データＲＤに乗算して温度補償したり、予め各室温に対応した基準データＲＤを用意しておき、その中から調弦する環境の室温に合致した基準データＲＤを選択して温度補償したりする手法などを用いて温度変化に応じた弦の張力変化を補償するようにしてもよい。
【００３２】
また、本実施形態では、ブリッジ端を基準にして離間距離Ｌを隔てた位置で各弦を押下するようにしたが、これに限定されず、検出反発力を測定するための押下位置を複数箇所設け、各箇所の測定結果に基づき調弦の適否を判別する態様としても構わない。
【００３３】
以上、本発明の実施の一形態について説明したが、本発明はそれに限定されるものではなく、本願出願の特許請求の範囲に記載された発明とその均等の範囲に含まれる。以下では、本願出願当初の特許請求の範囲に記載された各発明について付記する。
【００３４】
（付記）
［請求項１］
張設された複数の弦を押下した時に生じる各弦の反発力を検出反発力として取得する反発力取得手段と、
適正に調弦された状態で取得された各弦の基準反発力を予め記憶しておき、これら各弦の基準反発力と前記反発力取得手段により取得された各弦の検出反発力との差分を各弦毎に算出する差分算出手段と、
前記差分算出手段により算出される各弦毎の差分が予め定められた許容範囲に収まっているか否かを判別する判別手段と、
前記判別手段の判別結果に基づき各弦の状態を表示する状態表示手段と
を具備することを特徴とするチューニング装置。
【００３５】
［請求項２］
前記反発力取得手段は、各弦の所定位置を一定長分押下した時の圧力を検出反発力として各弦毎に検出する圧力検出手段を備えることを特徴とする請求項１記載のチューニング装置。
【００３６】
［請求項３］
前記状態表示手段は、前記判別手段により検出反発力と基準反発力との差分が許容範囲に収まっていると判別された場合に、弦が適正に調弦された状態である旨を表示することを特徴とする請求項１記載のチューニング装置。
【００３７】
［請求項４］
前記判別手段は、検出反発力と基準反発力との差分が許容範囲の上限を超えている否かを判別する上限超過判別手段と、検出反発力と基準反発力との差分が許容範囲の下限を超えている否かを判別する下限超過判別手段とを備えることを特徴とする請求項１記載のチューニング装置。
【００３８】
［請求項５］
前記状態表示手段は、前記上限超過判別手段により検出反発力と基準反発力との差分が許容範囲の上限を超えたと判別された場合に、弦の張力が高過ぎる状態である旨を表示することを特徴とする請求項１記載のチューニング装置。
【００３９】
［請求項６］
前記状態表示手段は、前記下限超過判別手段により検出反発力と基準反発力との差分が許容範囲の下限を超えたと判別された場合に、弦の張力が低過ぎる状態である旨を表示することを特徴とする請求項１記載のチューニング装置。
【００４０】
［請求項７］
コンピュータに、
張設された複数の弦を押下した時に生じる各弦の反発力を検出反発力として取得する反発力取得ステップと、
適正に調弦された状態で取得された各弦の基準反発力を予め記憶しておき、これら各弦の基準反発力と前記反発力取得ステップにて取得された各弦の検出反発力との差分を各弦毎に算出する差分算出ステップと、
前記差分算出ステップにより算出される各弦毎の差分が予め定められた許容範囲に収まっているか否かを判別する判別ステップと、
前記判別ステップの判別結果に基づき各弦の状態を表示する状態表示ステップと
を実行させることを特徴とするプログラム。
【符号の説明】
【００４１】
１０  ＣＰＵ
１１  ＲＯＭ
１２  ＲＡＭ
１３  操作部
１４  表示部
２０  センサ部
２０−１〜２０−６  圧力センサ
３０  本体部
１００  チューニング装置
【図１】
2012159648.tif 000003
【図２】
2012159648.tif 000004
【図３】
2012159648.tif 000005
【図４】
2012159648.tif 000006
【図５】
2012159648.tif 000007
【図６】
2012159648.tif 000008
【図７】
2012159648.tif 000009